(57)【要約】【課題】外光反射を抑制できる自発光型表示装置及びこれに用いる反射防止用フィルタを得、表示コントラストを向上させ、低消費電力化を図る。【解決手段】表示板面２１ａから表示光が出射される自発光器２３を備えた自発光型表示装置において、表示板２１の表示光出射方向に偏光層２５と第１の偏光変換層２７とを順次配設する。また、自発光型表示装置は、第１の偏光変換層２７が、無偏光の光をＰ偏光又はＳ偏光のいずれか一方に変換し、表示板２１と偏光層２５との間に、無偏光の光をＰ偏光又はＳ偏光のいずれか他方に変換する第２の偏光変換層を配設してもよい。【選択図】図１
2007171830.tif 000002
【特許請求の範囲】
【請求項１】
表示板面から表示光を出射する自発光器を備えた自発光型表示装置であって、
前記表示板の表示光出射方向に、偏光層と、Ｐ偏光又はＳ偏光のいずれか一方に揃える第１の偏光変換層とが順次配設されたことを特徴とする自発光型表示装置。
【請求項２】
前記第１の偏光変換層が、無偏光光をＰ偏光又はＳ偏光のいずれか一方に変換するものであり、
前記表示板と前記偏光層との間に、無偏光光をＰ偏光又はＳ偏光のいずれか他方に変換する第２の偏光変換層が配設されたことを特徴とする請求項１記載の自発光型表示装置。
【請求項３】
前記表示板の表示光出射方向に前記表示板に対して略平行な透明前面板が配設され、
前記透明前面板の前記表示板側の面に前記偏光層が配設されるとともに、前記表示側とは反対側の面に前記第１の偏光変換層が配設されたことを特徴とする請求項１記載の自発光型表示装置。
【請求項４】
前記表示板の表示光出射方向に前記表示板に対して略平行な透明前面板が配設され、
前記表示板面に前記偏光層が配設されるともに、前記透明前面板の表示板側の面に前記第１の偏光変換層が配設されたことを特徴とする請求項１記載の自発光型表示装置。
【請求項５】
前記表示板の表示光出射方向に前記表示板に対して略平行な透明前面板が配設され、
前記表示板面に前記第２の偏光変換層が配設されるとともに、前記透明前面板の表示板側の面に前記偏光層が配設され、かつ前記表示板側とは反対側の面に前記第１の偏光変換層が配設されたことを特徴とする請求項２記載の自発光型表示装置。
【請求項６】
前記表示板面に、表示光出射方向に向かって前記偏光層と前記第１の偏光変換層とが順次積層されたことを特徴とする請求項１記載の自発光型表示装置。
【請求項７】
前記第１の偏光変換層の表示光出射側に、波長依存性の吸収特性を有する染料含有層の設けられた反射防止フィルムが積層されたことを特徴とする請求項１〜請求項６のいずれか１項記載の自発光型表示装置。
【請求項８】
前記自発光器がプラズマディスプレイであることを特徴とする請求項１〜請求項７のいずれか１項記載の自発光型表示装置。
【請求項９】
前記自発光器が有機ＥＬパネルであることを特徴とする請求項１〜請求項７のいずれか１項記載の自発光型表示装置。
【請求項１０】
表示板面から表示光を出射する自発光器を備えた自発光型表示装置における前記表示板の表示光出射方向に、前記表示板に対して略平行に配設される反射防止用フィルタであって、
前記表示板に対して略平行に配設された透明基板に、偏光層と偏光変換層とがこの順で表示光出射方向に順次配設されたことを特徴とする反射防止用フィルタ。
【請求項１１】
前記偏光変換層上に、特定の波長領域を吸収する染料含有層の設けられた反射防止フィルムが積層されたことを特徴とする請求項１０記載の反射防止用フィルタ。
【発明の詳細な説明】
【技術分野】
【０００１】
本発明は、表示板面から表示光が出射される自発光器を備えた自発光型表示装置及びこれに用いる反射防止用フィルタに関する。
【背景技術】
【０００２】
近年、プラズマディスプレイ（ＰＤＰ）や有機ＥＬなどの自発光型表示装置の画質が向上し、モニタや家庭向けＴＶ用途として広く利用されるようになってきた。ＰＤＰは、放電空間を挟んで対向する一対の基板を基体とする構造の表示パネルである。表示面側となる前面側のガラス基板には、複数の対をなす行電極や保護層等が形成されている。行電極は、幅の広いＩＴＯ等の帯状の透明導電膜からなる透明電極とその導電性を補う幅の狭い金属層からなる金属電極（バス電極）とから構成されている。
【０００３】
一方、放電空間を介して対向配置される背面側の基板には、行電極と直交する方向に配列され、各交差部にて画素セルを形成する列電極、列電極間に帯状に設けられ放電空間を区画する隔壁、列電極及び隔壁の側面を放電空間に対して被覆するように帯状に設けられた蛍光体層が形成されている。放電空間内には、希ガスが注入封入されている。
【０００４】
このように構成された面放電型のＰＤＰを表示するに際しては、先ず、列電極と対をなす一方の行電極との間の選択的放電によるアドレス操作によって点灯セル（壁電荷が形成されたセル）及び消灯セル（壁電荷が形成されなかったセル）が選択される。アドレス操作の後、全ラインに一斉に、対をなす行電極に対して交互に放電維持パルスを印加することにより、点灯セルにおいて放電維持パルスが印加される毎に面放電が生じる。この面放電で生じた紫外線によって蛍光体層を励起し、可視光を発光させている。
【０００５】
ところで、この種の自発光型表示装置では、明室環境下において、金属電極の表面、蛍光体層の表面又は隔壁の表面などで外光が反射してコントラストが低下し、視認性が劣化することが問題となっている。このような問題を解消するために、特許文献１には、例えば透過率が５０％強の暗色ガラス等の半透明材料をフィルタとして用いる技術が開示されている。また、特許文献２には、放電空間を介して対向配置された前面側及び背面側の基板を備えたプラズマディスプレイパネルにおいて、前面側の基板の外表面又は内表面に、円偏光フィルタ層を設けることで、低コストで表示のコントラストを高め、表示の視認性向上を図った技術が開示されている。
【特許文献１】特開２０００−１６４１４５号公報
【特許文献２】特開平１１−２４２９３３号公報
【発明の開示】
【発明が解決しようとする課題】
【０００６】
しかしながら、透過率が略５０％の暗色ガラス等の半透明材料をフィルタとして用いる所謂ニュートラルグレーのフィルター（「ＮＤフィルター」とも称す）１は、図９に示すように、１００％の外光Ｌ１００がＮＤフィルター１により減光されて略５０％となった透過光Ｌ５０となり、自発光型表示装置３の表示板面３ａで反射されて内部反射光Ｌ５０となり、再びＮＤフィルター１を透過して出射される際に、さらにその半分となる略２５％の外光反射光Ｌ２５が発生する。このため、コントラスト低減効果としては十分なものとは言えなかった。また、ＮＤフィルター１を設けることで自発光型表示装置３の内部発光による表示光Ｄ１００も、ＮＤフィルター１を透過することで略５０％の表示光Ｄ５０に半減されることとなった。一方、円偏光フィルタ層を設けた自発光型表示装置では、反射光をカットする仕組みであるため、反射表面の散乱特性や外光の入射角度などに応じて反射を十分に抑えることが困難であった。このような事情から従来の自発光型表示装置では、外光反射を十分に抑制できず、その結果、表示コントラストが低下し、これを補うために消費電力も増大する傾向にあった。
本発明は上記状況に鑑みてなされたもので、外光反射を十分に抑制することのできる自発光型表示装置及びこれに用いる反射防止用フィルタを提供し、もって、表示コントラストを向上させ、低消費電力化を図ることを目的とする。
【課題を解決するための手段】
【０００７】
本発明に係る上記目的は、下記構成により達成される。
（１）  表示板面から表示光を出射する自発光器を備えた自発光型表示装置であって、前記表示板の表示光出射方向に、偏光層と、Ｐ偏光又はＳ偏光のいずれか一方に揃える第１の偏光変換層とが順次配設されたことを特徴とする自発光型表示装置。
【０００８】
この自発光型表示装置によれば、自発光器の表示板面に向かう外光は、第１の偏光変換層を通過することで、無偏光の光（Ｐ偏光及びＰ偏光を含むという意味で「偏光Ｐ，Ｓ」と記す）からＰ偏光又はＳ偏光のいずれか一方（例えば偏光Ｓ，Ｓ）に偏光される。次いで、Ｐ偏光又はＳ偏光のいずれか一方に変換された光（偏光Ｓ，Ｓ）は、Ｐ偏光又はＳ偏光のいずれか一方（偏光Ｓ）を透過させない偏光層に入射することで表示板面への照射が阻止される。つまり、外光（偏光Ｐ，Ｓ）は、第１の偏光変換層により偏光方向が特定の方向に揃った直線偏光光に変換されて、光の偏光方向に吸収軸を持つ偏光層により吸収される。したがって、外光が自発光器の表示板面に反射されて発生する外部光反射が生じなくなる。なお、自発光器の表示板面から出射される内部発光光である表示光（偏光Ｐ，Ｓ）は、Ｐ偏光又はＳ偏光のいずれか他方（偏光Ｐ）のみが偏光層を通過し、次いで第１の偏光変換層を通過することで、内部発光光の略半分の表示光（偏光Ｐ，Ｓ）となって出射される。
【０００９】
（２）  前記第１の偏光変換層が、無偏光光をＰ偏光又はＳ偏光のいずれか一方に変換するものであり、前記表示板と前記偏光層との間に、無偏光光をＰ偏光又はＳ偏光のいずれか他方に変換する第２の偏光変換層が配設されたことを特徴とする（１）記載の自発光型表示装置。
【００１０】
この自発光型表示装置によれば、自発光器の表示板面に向かう外光は、第１の偏光変換層を通過することで、無偏光の光（偏光Ｐ，Ｓ）からＰ偏光又はＳ偏光のいずれか一方（例えば偏光Ｓ，Ｓ）に偏光される。次いで、Ｐ偏光又はＳ偏光のいずれか一方（偏光Ｓ，Ｓ）に変換された光は、Ｐ偏光又はＳ偏光のいずれか一方（偏光Ｓ）を透過させない偏光層に入射することで表示板面への照射が阻止される。つまり、外光（偏光Ｐ，Ｓ）は、第１の偏光変換層により偏光方向が特定の方向に揃った直線偏光光に変換されて、光の偏光方向に吸収軸を持つ偏光層により吸収される。したがって、外光が自発光器の表示板面に反射されて発生する外部光反射が生じなくなる。また、自発光器の表示板面から出射される内部発光光である表示光（偏光Ｐ，Ｓ）は、第２の偏光変換層を通過することで、無偏光の光（偏光Ｐ，Ｓ）からＰ偏光又はＳ偏光のいずれか他方（偏光Ｐ，Ｐ）に偏光される。次いで、Ｐ偏光又はＳ偏光のいずれか他方に変換された光（偏光Ｐ，Ｐ）は、Ｐ偏光又はＳ偏光のいずれか一方（偏光Ｓ）を透過させない偏光層に入射することで、阻止されずに透過可能となり、第１の偏光変換層を通過する。Ｐ偏光又はＳ偏光のいずれか他方に変換された光（偏光Ｐ，Ｐ）は、第１の偏光変換層を通過することでＰＳ偏光となり、半減することなく表示光として出射される。
【００１１】
（３）  前記表示板の表示光出射方向に前記表示板に対して略平行な透明前面板が配設され、前記透明前面板の前記表示板側の面に前記偏光層が配設されるとともに、前記表示側とは反対側の面に前記第１の偏光変換層が配設されたことを特徴とする（１）記載の自発光型表示装置。
【００１２】
この自発光型表示装置によれば、自発光器の表示側に別体の透明前面板が配設される自発光型表示装置において、当該透明前面板の両面に、偏光層と第１の偏光変換層とが形成される。偏光層と第１の偏光変換層との積層順は、自発光器の表示板面から偏光層、第１の偏光変換層の順となり、（１）項に記載される構成の積層順と同様となる。したがって、外光の反射防止作用・表示光の出射作用は、（１）項記載と同様となる。これに加え、偏光層、第１の偏光変換層を備えた透明前面板が、自発光器と別体で製作可能となることで、上記作用・効果を有する自発光型表示装置の製造工程を柔軟かつ簡素にすることが可能となる。
【００１３】
（４）  前記表示板の表示光出射方向に前記表示板に対して略平行な透明前面板が配設され、前記表示板面に前記偏光層が配設されるともに、前記透明前面板の表示板側の面に前記第１の偏光変換層が配設されたことを特徴とする（１）記載の自発光型表示装置。
【００１４】
この自発光型表示装置によれば、自発光器の表示側に別体の透明前面板が配設される自発光型表示装置において、表示板面に偏光層、透明前面板の表示板側の面に第１の偏光変換層が形成される。偏光層と第１の偏光変換層との積層順は、自発光器の表示板面から偏光層、第１の偏光変換層の順となり、（１）項に記載される構成の積層順と同様となる。したがって、外光の反射防止作用・表示光の出射作用は、（１）項記載と同様となる。これに加え、第１の偏光変換層を備えた透明前面板が、自発光器と別体で製作可能となることで、上記作用・効果を有する自発光型表示装置の製造工程を柔軟かつ簡素にすることが可能となる。また、透明前面板の表示光出射面には偏光変換層等の作用層が形成されなくなるので、透明前面板の自発光器防護用パネルとしての使用が可能となる。
【００１５】
（５）  前記表示板の表示光出射方向に前記表示板に対して略平行な透明前面板が配設され、前記表示板面に前記第２の偏光変換層が配設されるとともに、前記透明前面板の表示板側の面に前記偏光層が配設され、かつ前記表示板側とは反対側の面に前記第１の偏光変換層が配設されたことを特徴とする（２）記載の自発光型表示装置。
【００１６】
この自発光型表示装置によれば、自発光器の表示側に別体の透明前面板が配設される自発光型表示装置において、当該透明前面板の両面に、偏光層と第１の偏光変換層とが形成され、自発光器の表示板面に第２の偏光変換層が形成される。第２の偏光変換層、偏光層、及び第１の偏光変換層との積層順は、自発光器の表示板面から第２の偏光変換層、偏光層、第１の偏光変換層の順となり、（２）項に記載される構成の積層順と同様となる。したがって、外光の反射防止作用・表示光の出射作用は、（２）項記載と同様となる。これに加え、偏光層、第１の偏光変換層を備えた透明前面板が、自発光器と別体で製作可能となることで、上記作用・効果を有する自発光型表示装置の製造工程を柔軟かつ簡素にすることが可能となる。
【００１７】
（６）  前記表示板面に、表示光出射方向に向かって前記偏光層と前記第１の偏光変換層とが順次積層されたことを特徴とする（１）記載の自発光型表示装置。
【００１８】
この自発光型表示装置によれば、自発光器の表示板面に偏光層と第１の偏光変換層とが直接積層形成される。偏光層と第１の偏光変換層との積層順は、自発光器の表示板面から偏光層、第１の偏光変換層の順となり、（１）項に記載される構成の積層順と同様となる。したがって、外光の反射防止作用・表示光の出射作用は、（１）項記載と同様となる。これに加え、表示側に別体の透明前面板を配設せずに、偏光層、第１の偏光変換層を備えることでき、上記作用・効果を有する自発光型表示装置を簡素に構成することが可能となる。
【００１９】
（７）  前記第１の偏光変換層の表示光出射側に、波長依存性の吸収特性を有する染料含有層の設けられた反射防止フィルムが積層されたことを特徴とする（１）項〜（６）項のいずれか１項記載の自発光型表示装置。
【００２０】
この自発光型表示装置によれば、特定の波長領域に最大吸収波長を有する可視光吸収染料を含む染料含有層が塗布層として設けられることで、自発光型表示装置に入射する外光が、先ず反射防止フィルムに入射することとなり、当該反射防止フィルムを透過しない場合に比べて外光が軽減された状態で、さらに上記構成の反射防止用フィルタへ入射して上記同様の作用・効果によって外部光反射が生じなくなる。これにより、外光反射の十分な抑制が可能となり、自発光型表示装置の表示コントラストが一層有効に改善される。
【００２１】
（８）  前記自発光器がプラズマディスプレイであることを特徴とする（１）項〜（７）項のいずれか１項記載の自発光型表示装置。
【００２２】
この自発光型表示装置によれば、表示板面の下層に設けられたセル空間にＨｅ−Ｘｅ又はＨｅ−Ｋｒ等の混合ガスが封入され、セル空間に対向して設けられた陽極と陰極との交点で放電が行われ、それによって発生した電子線の照射により各セル空間の蛍光体が励起発光され、表示板面から出射される。この表示板面に対する外光の反射が上記作用・効果によって阻止されるとともに、表示板面からの励起発光が上記作用・効果によって少なくとも偏光層、第１の偏光変換層を透過して表示光として出射される。
【００２３】
（９）  前記自発光器が有機ＥＬパネルであることを特徴とする（１）項〜（７）項のいずれか１項記載の自発光型表示装置。
【００２４】
この自発光型表示装置によれば、表示板面の下層に発光層と、この発光層を挟持する陰極と陽極とが設けられ、両電極間に電圧が印加されることにより、発光層が励起されて発光し、その発光光が表示板面から出射される。この表示板面に対する外光の反射が上記作用・効果によって阻止されるとともに、表示板面からの発光光が上記作用・効果によって少なくとも偏光層、第１の偏光変換層を透過して表示光として出射される。
【００２５】
（１０）  表示板面から表示光を出射する自発光器を備えた自発光型表示装置における前記表示板の表示光出射方向に、前記表示板に対して略平行に配設される反射防止用フィルタであって、前記表示板に対して略平行に配設された透明基板に、偏光層と偏光変換層とがこの順で表示光出射方向に順次配設されたことを特徴とする反射防止用フィルタ。
【００２６】
この反射防止用フィルタによれば、自発光器の表示板面に向かう外光は、第１の偏光変換層を通過することで、無偏光の光（偏光Ｐ，Ｓ）からＰ偏光又はＳ偏光のいずれか一方に偏光される。次いで、Ｐ偏光又はＳ偏光のいずれか一方を透過させない偏光層に入射することで表示板面への照射が阻止される。したがって、外光が、自発光器の表示板面に反射される外部光反射が生じなくなる。これにより、外光反射を十分に抑制することができ、その結果、自発光型表示装置の表示コントラストを向上させ、低消費電力化を達成させることができる。
【００２７】
（１１）  前記偏光変換層上に、特定の波長領域を吸収する染料含有層の設けられた反射防止フィルムが積層されたことを特徴とする（１０）記載の反射防止用フィルタ。
【００２８】
この反射防止用フィルタによれば、特定の波長領域に最大吸収波長を有する可視光吸収染料を含む染料含有層が塗布層として設けられることで、自発光型表示装置に入射する外光が、先ず反射防止フィルムに入射することとなり、当該反射防止フィルムを透過しない場合に比べて外光が軽減された状態で、さらに上記構成の反射防止用フィルタへ入射して上記同様の作用・効果によって外部光反射が生じなくなる。これにより、外光反射のより十分な抑制が可能となり、自発光型表示装置の表示コントラストが一層有効に改善される。
【発明の効果】
【００２９】
本発明に係る自発光型表示装置によれば、表示板面から表示光が出射される自発光器を備え、表示板の表示光出射方向に、偏光層と第１の偏光変換層とを順次配設したので、自発光器の表示板面に向かう外光は、第１の偏光変換層を通過することで、無偏光の光（偏光Ｐ，Ｓ）からＰ偏光又はＳ偏光のいずれか一方に偏光され、次いで、Ｐ偏光又はＳ偏光のいずれか一方を透過させない偏光層に入射することで表示板面への照射が阻止される。これにより、外部光反射が生じなくなり、外光反射を十分に抑制することができ、その結果、表示コントラストを向上させ、低消費電力化を達成することができる。
【００３０】
本発明に係る反射防止用フィルタによれば、自発光型表示装置の表示板と略平行に配設され、表示板と略平行な透明基板の表示板側の面に偏光層が配設されるとともに、その反対面に偏光変換層が配設されてなるので、自発光型表示装置の表示板面に対面配置することで、自発光器の表示板面に向かう外光は、第１の偏光変換層を通過することで、無偏光の光（偏光Ｐ，Ｓ）からＰ偏光又はＳ偏光のいずれか一方に偏光され、次いで、Ｐ偏光又はＳ偏光のいずれか一方を透過させない偏光層に入射することで表示板面への照射が阻止される。これにより、外部光反射が生じなくなり、外光反射を十分に抑制することができ、その結果、自発光型表示装置の表示コントラストを向上させ、低消費電力化を達成させることができる。
【発明を実施するための最良の形態】
【００３１】
以下、本発明に係る自発光型表示装置及びこれに用いる反射防止用フィルタの好適な実施の形態を図面を参照して説明する。
図１は本発明に係る自発光型表示装置の基本構成を表す概念図、図２は図１に示した第１の偏光変換層の作用を表す拡大断面図である。
本実施の形態による自発光型表示装置の基本構成は、図１に示すように、表示板面２１ａから表示光が出射される自発光器２３を備えた自発光型表示装置において、表示板２１の表示光出射方向に偏光層２５と第１の偏光変換層２７とが順次配設されている。
【００３２】
第１の偏光変換層２７は、図２に一構成例を示すように。直角プリズムの一方の斜面に誘電体多層膜をコートすることで偏光分離面２９を形成して、外光である無偏光の光（偏光Ｐ，Ｓ）に対し、Ｐ偏光とＳ偏光を分離可能としている。また、無偏光の光（偏光Ｐ，Ｓ）の透過側には延伸高分子フィルムからなる１／２波長板３１が配設され、内面に屈折異方性を発現させる。
【００３３】
この自発光型表示装置では、自発光器２３の表示板面２１ａに向かう外光は、第１の偏光変換層２７を通過することで、無偏光の光（偏光Ｐ，Ｓ）からＰ偏光又はＳ偏光のいずれか一方（例えば偏光Ｓ，Ｓ）に偏光される。次いで、Ｐ偏光又はＳ偏光のいずれか一方に変換された光（偏光Ｓ，Ｓ）は、Ｐ偏光又はＳ偏光のいずれか一方（偏光Ｓ）を透過させない偏光層２５に入射することで表示板面２１ａへの照射が阻止される。
【００３４】
つまり、外光（偏光Ｐ，Ｓ）は、第１の偏光変換層２７により偏光方向が特定の方向に揃った直線偏光光に変換されて、光の偏光方向に吸収軸を持つ偏光層２５により吸収される。したがって、外光が、自発光器２３の表示板面２１ａに反射される外部光反射が生じなくなる。また、自発光器２３の表示板面２１ａから出射される内部発光光である表示光（偏光Ｐ，Ｓ）は、Ｐ偏光又はＳ偏光のいずれか他方（偏光Ｐ）のみが偏光層２５を通過し、略半分の透過光となり、次いで第１の偏光変換層２７を通過することで、内部発光光の略半分の表示光（偏光Ｐ，Ｓ）となって出射される。
【００３５】
また、本発明に係る自発光型表示装置は、図１に示した基本構成の変形例として、図３に示すように、第１の偏光変換層２７が、無偏光のランダム偏光（偏光Ｐ，Ｓ）をＰ偏光又はＳ偏光のいずれか一方（例えば偏光Ｓ，Ｓ）に変換し、表示板２１と偏光層２５との間に、無偏光のランダム偏光（偏光Ｐ，Ｓ）をＰ偏光又はＳ偏光のいずれか他方（偏光Ｐ，Ｐ）に変換する第２の偏光変換層３３が配設されるものであってもよい。
【００３６】
このような第２の偏光変換層３３を追加した構成では、図３に示すように、自発光器２３の表示板面２１ａに向かう外光は、第１の偏光変換層２７を通過することで、無偏光の光（偏光Ｐ，Ｓ）からＰ偏光又はＳ偏光のいずれか一方（例えば偏光Ｓ，Ｓ）に偏光される。次いで、Ｐ偏光又はＳ偏光のいずれか一方（偏光Ｓ，Ｓ）に変換された光は、Ｐ偏光又はＳ偏光のいずれか一方（偏光Ｓ）を透過させない偏光層に入射することで表示板面への照射が阻止される。つまり、外光（偏光Ｐ，Ｓ）は、第１の偏光変換層２７により偏光方向が特定の方向に揃った直線偏光光に変換されて、光の偏光方向に吸収軸を持つ偏光層２５により吸収される。したがって、外光が、自発光器２３の表示板面２１ａに反射される外部光反射が生じなくなる。
【００３７】
また、自発光器２３の表示板面２１ａから出射される内部発光光である表示光（偏光ＰＳ）は、第２の偏光変換層３３を通過することで、無偏光の光（ランダム偏光ＰＳ）からＰ偏光又はＳ偏光のいずれか他方（偏光ＰＰ）に偏光される。次いで、Ｐ偏光又はＳ偏光のいずれか他方に変換された光（偏光ＰＰ）は、Ｐ偏光又はＳ偏光のいずれか一方（偏光Ｓ）を透過させない偏光層２５に入射することで、阻止されずに透過可能となり、第１の偏光変換層２７を通過する。Ｐ偏光又はＳ偏光のいずれか他方に変換された光（偏光ＰＰ）は、第１の偏光変換層２７を通過することでＰＳ偏光となり、光量が半減することなく表示光として出射されることとなる。
【００３８】
次に、図１に示した基本構成に基づく自発光型表示装置のより具体的な構成例を図４、図５（ａ）に基づき説明する。
この実施の形態による自発光型表示装置１００では、上記の自発光器２３としてプラズマディスプレイ２３Ｐが用いられる。プラズマディスプレイ２３Ｐの外側は、光が放射される表示板２１と、この表示板２１の背後に配置される背面ガラス基板３５とからなる。表示板２１の背面ガラス基板３５に対面する面には、ニッケルやアルミペースト等が厚膜印刷されて形成された陰極３７が設けられている。背面ガラス基板３５の内面には、陽極３９がニッケルやアルミペースト等により厚膜印刷で形成され、この陽極３９上には、発光素子を構成する多数の蛍光体４１が形成されている。これら蛍光体４１は厚膜印刷により塗布されており、各蛍光体４１の中央には放電陽極用の穴が設けられている。また、各陽極３９の間には、厚膜印刷で数回重ね印刷することにより、２００μｍ程度の厚膜の隔壁４３が形成されている。
【００３９】
この表示板２１と背面ガラス基板３５は、陰極３７と陽極３９とが直交し、陰極３７が各蛍光体４１の穴を通して露出している陽極３９上と重なるように合わせられ、周囲が密封されている。また、隔壁４３によって作られる陰極３７と陰極３７との間の空間には、Ｈｅ−Ｘｅ又はＨｅ−Ｋｒ等の混合ガスが封入されている。そして、陽極３９に電圧が掛けられると、陽極３９と陰極３７との交点で放電し、電子線の照射により各蛍光体４１が励起発光する。
【００４０】
この自発光型表示装置１００では、図４、図５（ａ）に示すように、表示板２１の表示光出射方向に、表示板２１に対して略平行な透明前面板４５が配設され、この透明前面板４５の表示板側の面に偏光層２５が配設されるとともに、その反対面に第１の偏光変換層２７が配設されている。このように、プラズマディスプレイ２３Ｐの表示側に別体の透明前面板４５が配設される自発光型表示装置１００において、透明前面板４５の両面に、偏光層２５と第１の偏光変換層２７とが形成される。
【００４１】
偏光層２５と第１の偏光変換層２７との積層順は、プラズマディスプレイ２３Ｐの表示板面２１ａから偏光層２５、第１の偏光変換層２７の順となり、図１に示した基本構成の積層順と同様となる。したがって、外光の反射防止作用・表示光の出射作用は、図１に示した基本構成と同様となる。これに加え、偏光層２５、第１の偏光変換層２７を備えた透明前面板４５が、プラズマディスプレイ２３Ｐと別体で製作可能となることで、上記作用・効果を有する自発光型表示装置１００の製造工程を柔軟かつ簡素にすることが可能となる。
【００４２】
このように、透明前面板４５を備える自発光型表示装置１００では、透明前面板４５の表裏面に、偏光層２５、第１の偏光変換層２７を設けることで、この積層透明前面板４５を、単独の反射防止用フィルタ５１として構成してもよい。このような別体となった反射防止用フィルタ５１は、表示板面２１ａから表示光が出射されるプラズマディスプレイ２３Ｐの表示光出射方向に、表示板２１と略平行に配設される。偏光層２５と第１の偏光変換層２７との形成位置は、図４に示す例に限られず、表示光出射方向に向かって偏光層２５と第１の偏光変換層２７とが順次積層されていればよい。つまり、図示例のように、透明前面板４５の表裏に偏光層２５と第１の偏光変換層２７とが形成されてもよく、透明前面板４５の表裏のいずれか一方に、一体に積層された偏光層２５及び第１の偏光変換層２７が配設されてもよい。
【００４３】
この反射防止用フィルタ５１によっても、プラズマディスプレイ２３Ｐの表示板面２１ａに向かう外光は、第１の偏光変換層２７を通過することで、無偏光の光（無偏光光）からＰ偏光又はＳ偏光のいずれか一方に偏光される。次いで、透明前面板４５を透過した後、Ｐ偏光又はＳ偏光のいずれか一方を透過させない偏光層２５に入射することで表示板面２１ａへの照射が阻止される。したがって、外光が、プラズマディスプレイ２３Ｐの表示板面２１ａに反射される外部光反射が生じなくなる。これにより、外光反射を十分に抑制することができ、その結果、自発光型表示装置１００の表示コントラストを向上させ、無駄に表示光の光量を増大させる必要もないため、低消費電力化を達成させることができる。
【００４４】
自発光型表示装置１００において、偏光層２５、第１の偏光変換層２７等の配設位置は、種々のバリエーションがある。すなわち、図４、図５（ａ）に示した構成以外に、図５（ｂ）に示すように、表示板面２１ａに偏光層２５が配設されるとともに、透明前面板４５の表示板側の面に第１の偏光変換層２７が配設されてもよい。この配置においても、プラズマディスプレイ２３Ｐの表示側に別体の透明前面板４５が配設される自発光型表示装置において、第１の偏光変換層２７を備えた透明前面板４５が、プラズマディスプレイ２３Ｐと別体で製作可能となることで、上記作用・効果を有する自発光型表示装置の製造工程を柔軟かつ簡素にすることが可能となる。また、透明前面板４５の表示光出射面には第１の偏光変換層２７等の作用層が形成されなくなるので、透明前面板４５の取り扱い性を向上できる。
【００４５】
また、図５（ｃ）に示すように、表示板面２１ａに第２の偏光変換層３３が配設されるとともに、透明前面板４５の表示板側の面に偏光層２５が配設され、かつその反対面に第１の偏光変換層２７が配設されてもよい。この配置では、第２の偏光変換層３３、偏光層２５、第１の偏光変換層２７との積層順は、図３に示した構成の積層順と同様となる。したがって、外光の反射防止作用・表示光の出射作用は、同図の構成における記載と同様となる。これに加え、偏光層２５、第１の偏光変換層２７を備えた透明前面板４５が、プラズマディスプレイ２３Ｐと別体で製作可能となることで、この場合においても、上記作用・効果を有する自発光型表示装置の製造工程を柔軟かつ簡素にすることが可能となる。
【００４６】
さらに、図６に示すように、透明前面板４５が用いられない自発光型表示装置においては、表示板面２１ａに、表示光出射方向に向かって偏光層２５と第１の偏光変換層２７とを順次直接積層することができる。この構成では、表示側に別体の透明前面板４５を配設せずに、偏光層２５、第１の偏光変換層２７を備えることができ、上記作用・効果を有する自発光型表示装置を簡素に構成することが可能となる。
【００４７】
また、図７に示すように、自発光型表示装置１００、或いは反射防止用フィルタ５１は、第１の偏光変換層２７の表示光出射側に、波長依存性の吸収特性を有する、即ち、特定波長領域に最大吸収波長を有する染料含有層の設けられた反射防止フィルム６１が積層されるものであってもよい。この場合、自発光型表示装置１００に入射する外光が、先ず反射防止フィルム６１に入射することとなり、当該反射防止フィルム６１を透過しない場合に比べて外光が軽減された状態で、さらに上記構成の反射防止用フィルタ５１へ入射して上記同様の作用・効果によって外部光反射が生じなくなる。これにより、外光反射の十分な抑制が可能となり、自発光型表示装置１００の表示コントラストが一層有効に改善される。
【００４８】
ここで、上記の反射防止フィルム６１の層構成について説明する。
反射防止フィルム６１の基本的な構成は、染料含有層を透明支持体と低屈折率層との間に設けてなる。透明支持体と低屈折率層は、以下の関係を満足する屈折率を有する。
低屈折率層の屈折率＜透明支持体の屈折率
他の態様は、透明支持体、染料含有層、高屈折率層、そして低屈折率層の順序の層構成を有する。透明支持体、高屈折率層及び低屈折率層は、以下の関係を満足する屈折率を有する。
低屈折率層の屈折率＜透明支持体の屈折率＜高屈折率層の屈折率
さらに他の態様は、透明支持体、染料含有層、中屈折率層、高屈折率層、そして低屈折率層の順序の層構成を有する。透明支持体、中屈折率層、高屈折率層及び低屈折率層は、以下の関係を満足する屈折率を有する。
低屈折率層の屈折率＜透明支持体の屈折率＜中屈折率層の屈折率＜高屈折率層の屈折率。
【００４９】
また、反射防止フィルム６１は、染料含有層を低屈折率層とは反対側の透明支持体の面に設けてもよい。この態様では、染料含有層、透明支持体、そして低屈折率層の順序の層構成を有する。透明支持体と低屈折率層は、以下の関係を満足する屈折率を有する。
低屈折率層の屈折率＜透明支持体の屈折率
さらに他の態様は、染料含有層、透明支持体、高屈折率層、そして低屈折率層の順序の層構成を有する。透明支持体、高屈折率層及び低屈折率層は、以下の関係を満足する屈折率を有する。
低屈折率層の屈折率＜透明支持体の屈折率＜高屈折率層の屈折率
また他の態様は、染料含有層、透明支持体、中屈折率層、高屈折率層、そして低屈折率層の順序の層構成を有する。透明支持体、中屈折率層、高屈折率層及び低屈折率層は、以下の関係を満足する屈折率を有する。
低屈折率層の屈折率＜透明支持体の屈折率＜中屈折率層の屈折率＜高屈折率層の屈折率
このような反射防止フィルム６１が、例えば特開２０００−４３１７５号に開示されている。
【００５０】
上記の自発光型表示装置１００によれば、表示板面２１ａから表示光が出射されるプラズマディスプレイ２３Ｐを備え、表示板２１の表示光出射方向に、偏光層２５と第１の偏光変換層２７とを順次配設したので、プラズマディスプレイ２３Ｐの表示板面２１ａに向かう外光は、第１の偏光変換層２７を通過することで、無偏光の光からＰ偏光又はＳ偏光のいずれか一方に偏光され、次いで、Ｐ偏光又はＳ偏光のいずれか一方を透過させない偏光層に入射することで表示板面２１ａへの照射が阻止される。これにより、外部光反射が生じなくなり、外光反射を十分に抑制することができ、その結果、表示コントラストを向上させ、低消費電力化を達成することができる。
【００５１】
また、上記の反射防止用フィルタ５１によれば、表示板２１と略平行に配設され、表示板２１と略平行な透明前面板４５の表示板側の面に偏光層２５が配設されるとともに、その反対面に第１の偏光変換層２７が配設されてなるので、自発光型表示装置１００の表示板面に対面配置することで、プラズマディスプレイ２３Ｐの表示板面２１ａに向かう外光は、第１の偏光変換層２７を通過することで、無偏光の光からＰ偏光又はＳ偏光のいずれか一方に偏光され、次いで、Ｐ偏光又はＳ偏光のいずれか一方を透過させない偏光層２５に入射することで表示板面２１ａへの照射が阻止される。これにより、外部光反射が生じなくなり、外光反射を十分に抑制することができ、上位機同様の効果が得られる。
【００５２】
次に、本発明に係る自発光型表示装置の他の実施の形態を説明する。
図８は自発光器に有機ＥＬパネルが用いられた他の実施の形態に係る自発光型表示装置の断面図である。
この実施の形態による自発光型表示装置２００は、自発光器２３として有機ＥＬパネル７１を備えている。有機ＥＬ素子は、表示板２１となる透明基板７３を備えており、この透明基板７３上には、陽極としての透明電極７５、発光層を含む有機化合物層７７、陰極としての金属電極７９が順次積層されて積層体８１が形成されている。この積層体８１は例えばステンレス製缶等の封止部材８３により覆われており、封止部材８３の縁部と透明基板７３とが接着剤により接着されて、乾燥窒素ガスで置換された封止部材８３内に積層体８１が封止されている。
【００５３】
この有機ＥＬパネル７１の透明電極７５と金属電極７９との間に所定電流が注入されると、有機化合物層７７に含まれる発光層が発光し、発光光が透明電極７５及び透明基板７３を透過して取り出される。
【００５４】
透明電極７５及び金属電極７９は、有機ＥＬ素子をオン・オフ駆動する不図示の駆動回路に接続されている。駆動回路は、両電極間に電圧を印加する電源及びトランジスタやサイリスタで構成されたスイッチング素子を含んで構成されている。また、駆動回路に接続された制御回路は、有機ＥＬ素子に所定波形のパルス電圧を印加するように駆動回路を制御する。
【００５５】
透明基板７３は、発光光に対して透明な基板であり、ガラス基板、プラスチック基板等を用いることができる。また、透明基板７３には、一般的な基板特性として、耐熱性、寸法安定性、耐溶剤性、電気絶縁性、加工性、低通気性、低吸湿性等が要求される。
【００５６】
透明電極７５は、４００ｎｍ〜７００ｎｍの可視光の波長領域において、少なくとも５０％以上、好ましくは７０％以上の光透過率を有するものが好ましい。透明電極７５を構成するための材料としては、酸化錫、酸化錫インジウム（ＩＴＯ）、酸化亜鉛インジウムなどの透明電極材料として公知の化合物の他、金や白金など仕事関数が大きい金属の薄膜を用いてもよい。また、ポリアニリン、ポリチオフェン、ポリピロール又はこれらの誘導体などの有機化合物でもよい。透明導電膜については、沢田豊監修「透明導電膜の新展開」シーエムシー刊（１９９９年）に詳細に記載されており、本発明に適用することができる。また、透明電極１２は、真空蒸着法、スパッタリング法、イオンプレーティング法などにより、透明基板１０上に形成することができる。
【００５７】
有機化合物層７７は、発光層のみからなる単層構造であってもよいし、発光層の外に、ホール注入層、ホール輸送層、電子注入層、電子輸送層等のその他の層を適宜有する積層構造であってもよい。有機化合物層７７の具体的な構成（電極を含めて表示する）としては、陽極／ホール注入層／ホール輸送層／発光層／電子輸送層／陰極、陽極／発光層／電子輸送層／陰極、陽極／ホール輸送層／発光層／電子輸送層／陰極、などが挙げられる。また、発光層、ホール輸送層、ホール注入層、電子注入層を複数層設けてもよい。
【００５８】
金属電極７９は、仕事関数の低いＬｉ、Ｋなどのアルカリ金属、Ｍｇ、Ｃａなどのアルカリ土類金属、及びこれらの金属とＡｇやＡｌなどとの合金や混合物等の金属材料から形成されるのが好ましい。陰極における保存安定性と電子注入性とを両立させるために、上記材料で形成した電極を、仕事関数が大きく導電性の高いＡｇ、Ａｌ、Ａｕなどで更に被覆してもよい。なお、金属電極７９も透明電極７５と同様に、真空蒸着法、スパッタ法、イオンプレーティング法などの公知の方法で形成することができる。また、金属電極７９を透明電極７５と同様に透明導電膜で構成することもできる。
【００５９】
そして、透明基板７３の透明電極７５が形成された面と反対側の面には、偏光層２５が形成され、偏光層２５にはさらに第１の偏光変換層２７が積層されている。したがって、有機ＥＬパネル７１の透明基板７３に向かう外光（偏光Ｐ，Ｓ）は、第１の偏光変換層２７を通過することで、無偏光の光からＰ偏光又はＳ偏光のいずれか一方（例えば偏光Ｓ，Ｓ）に偏光される。次いで、Ｐ偏光又はＳ偏光のいずれか一方に変換された光（偏光Ｓ，Ｓ）は、Ｐ偏光又はＳ偏光のいずれか一方（偏光Ｓ）を透過させない偏光層２５に入射することで透明基板７３への照射が阻止される。
【００６０】
また、透明基板７３から出射される内部発光光である表示光（偏光Ｐ，Ｓ）は、Ｐ偏光又はＳ偏光のいずれか他方（偏光Ｐ）のみが偏光層２５を通過し、次いで第１の偏光変換層２７を通過することで、内部発光光の略半分の表示光（偏光Ｐ，Ｓ）となって出射されることとなる。
【００６１】
この自発光型表示装置２００によれば、透明基板７３に対する外光の反射が上記作用・効果によって阻止されるとともに、透明基板７３からの発光光が上記作用・効果によって偏光層２５、第１の偏光変換層２７を透過して表示光として出射され、有機ＥＬパネル７１の表示コントラストが有効に改善される。
【図面の簡単な説明】
【００６２】
【図１】本発明に係る自発光型表示装置の基本構成を表す概念図である。
【図２】図１に示した第１の偏光変換層の作用を表す拡大断面図である。
【図３】図１に示した構成に第２の偏光変換層を追加した変形例を表す概念図である。
【図４】本発明に係る自発光型表示装置のより具体的な構成を表した要部拡大斜視図である。
【図５】偏光層と偏光変換層との配置例を（ａ）〜（ｃ）に表した説明図である。
【図６】透明前面板が用いられない構成の変形例を表す断面図である。
【図７】反射防止用フィルタが設けられた反射防止用フィルタの断面図である。
【図８】自発光器に有機ＥＬパネルが用いられた他の実施の形態に係る自発光型表示装置の断面図である。
【図９】従来の自発光型表示装置の外光反射防止作用を表す説明図である。
【符号の説明】
【００６３】
２１  表示板
２１ａ  表示板面
２３  自発光器
２３Ｐ  プラズマディスプレイ
２５  偏光層
２７  第１の偏光変換層
３３  第２の偏光変換層
４５  透明前面板
５１  反射防止用フィルタ
６１  反射防止フィルム
７１  有機ＥＬパネル
１００，２００  自発光型表示装置
【図１】
2007171830.tif 000003
【図２】
2007171830.tif 000004
【図３】
2007171830.tif 000005
【図４】
2007171830.tif 000006
【図５】
2007171830.tif 000007
【図６】
2007171830.tif 000008
【図７】
2007171830.tif 000009
【図８】
2007171830.tif 000010
【図９】
2007171830.tif 000011